(57)【要約】【課題】  原稿押圧板を閉める際の反動等によりピックアップローラが下動しても、ピックアップローラを上方の待機位置に向けて、速やかに復帰させるような手段を設けた画像読取装置を提供する。【解決手段】  ＡＤＦ部Ａは、ＦＢＳ部Ｆの上面に装備された上下開閉可能な原稿押圧板１９に一体に形成され、さらに、ピックアップローラ３の上下揺動機構２３と、この機構２３の動作制御を行う制御手段２４とを具備している。そして、前記制御手段２４は、前記原稿押圧板１９が閉められた時には、前記ピックアップローラ３を上動させるよう制御する。【選択図】        図５
2005277533.tif 000002
【特許請求の範囲】
【請求項１】
原稿載置部上に置かれた原稿束の上面に押当する上下揺動可能なピックアップローラにより原稿を繰出し、分離給送手段により１枚ずつ分離して読取部に向け原稿を給送する自動原稿送り装置と、平板式画像読取部とを備えた画像読取装置であって、
上記自動原稿送り装置は、上記平板式画像読取部の上面に装備された上下開閉可能な原稿押圧板に一体に形成され、且つ、前記ピックアップローラの上下揺動機構と、この機構の動作制御を行う制御手段とを具備し、
前記制御手段は、前記原稿押圧板が閉められた時には、前記ピックアップローラを上動させるよう制御することを特徴とする画像読取装置。
【請求項２】
前記ピックアップローラの下流側近傍には、原稿載置部上の原稿束の先端を規制する原稿規制部材が設けられ、前記原稿規制部材は、ピックアップローラが上方の待機位置にある時は、原稿載置部上の原稿先端規制位置に位置し、ピックアップローラが原稿束の上面に押当する位置に下降した時は原稿載置部上から退避するものであることを特徴とする請求項１に記載の画像読取装置。
【請求項３】
上記分離給送手段が、分離ローラを含み、上記ピックアップローラは、前記分離ローラの駆動軸に上下揺動可能に支持された揺動アームの揺動端部に取付けられ、前記揺動アームの上下揺動は、上記駆動軸の軸回転と連動してなされるようにしたことを特徴とする請求項１又は２に記載の画像読取装置。
【発明の詳細な説明】
【技術分野】
【０００１】
本発明は、複写装置やファクシミリ装置、或いはこれらの機能を組合わせた複合機等の画像形成装置における画像読取装置に係り、更に詳しくは自動原稿送り装置（ＡＤＦ）と平板式画像読取部（ＦＢＳ部）用の上下開閉可能な原稿押圧板とが一体とされた画像読取装置の改良に関する。
【背景技術】
【０００２】
上記のような画像形成装置には、ＡＤＦにおける画像読取部と、ＦＢＳ部とを備えた画像読取装置が搭載されている。ＡＤＦにおける画像読取部としては、原稿載置部上に置かれた原稿を１枚ずつ繰出・分離し、ＡＤＦの読取部に給送し、当該読取部に待機・静止している画像読取走査装置上を通過させながら原稿の画像を逐次読取る方式のものが多く採用されるようになった。また、ＦＢＳ部は、プラテンガラス上に原稿を下向きに置き、プラテンガラスの下面に沿って往復移動する上記画像読取走査装置によって原稿画像を読取るもので、画像読取走査装置は、ＡＤＦ原稿の読取及びＦＢＳ原稿の読取の両方に兼用されるようになされている。
【０００３】
上記のようなＡＤＦにおける画像読取部と、ＦＢＳ部とを備えた画像読取装置の場合、ＡＤＦ部は、ＦＢＳ部の上面に装備された上下開閉可能な原稿押圧板に一体とされている場合が多く、特許文献１はこのような画像読取装置における給紙装置の１例を開示するものである。また、この特許文献１には、原稿載置部上に置かれた原稿束の上面に作用して原稿を繰出す上下揺動可能なピックアップローラ及びこのピックアップローラの揺動と連関して動作するシャッタ（原稿規制部材）も開示されている。このシャッタは、ピックアップローラが上方の待機位置にある時は、原稿載置部上に位置し、原稿載置部上に置かれる原稿束の先端を揃えるよう規制し、ピックアップローラが原稿束に作用して原稿を繰出す際には、退避して原稿の繰出しを許容するよう構成されている。
【特許文献１】特開２００２−２５５３６３号公報
【発明の開示】
【発明が解決しようとする課題】
【０００４】
而して、上記のようにＡＤＦ部が原稿押圧板に一体とされていると、原稿押圧板の開閉操作の際に、その反動でピックアップローラが下がった状態となることがある。図６はそのようなピックアップローラの動きを示す概念図であり、図６（ａ）はピックアップローラが上方に待機している状態を、図６（ｂ）は上記のように反動等により下がった状態を示すものである。図おいて、ピックアップローラ１００は、分離ローラ１０１の駆動軸１０２に上下揺動可能に支持された揺動アーム１０３の揺動端部に取り付けられている。揺動アーム１０３と駆動軸１０２との間には、トルクリミッタ１０４が介在し、揺動アーム１０３はこのトルクリミッタ１０４の作用により駆動軸１０２の軸回転に伴い上下揺動する。また、駆動軸１０２の回転は、ベルト１０５を介してピックアップローラ１００に駆動伝達されるよう構成されている。更に、ピックアップローラ１００の上下動に連動して原稿先端規制位置と退避位置との間で変位可能な原稿規制部材１０６が、ピックアップローラ１００の支軸にリンク結合されている。分離ローラ１０１の周体には、圧縮ばね１０７により弾性付勢された分離パッド１０８が弾接されている。
【０００５】
図６（ａ）に示すように、ピックアップローラ１００が上方の待機位置にある時は、原稿規制部材１０６は原稿先端規制位置にあるから、原稿Ｄはこの原稿規制部材１０６に先端が揃えられた状態でセットされる。そして、装置のスイッチがオンされると、この状態から、ピックアップローラ１００が下降し、原稿Ｄの上面に押当されると共に原稿規制部材１０６が原稿先端規制位置から退避する。その後のピックアップローラ１００及び分離ローラ１０１の回転駆動により、原稿Ｄが最上紙より繰出され、分離パッド１０８の作用を受けて１枚ずつ分離されて給送されてゆく。しかし、前記原稿押圧板を勢いよく閉めると、図６（ｂ）に示すように、その反動によりピックアップローラ１００が下動し、そのまま維持されることがある。この状態では、ピックアップローラ１００が障害となって原稿Ｄが正しくセットされなくなる。しかも、原稿規制部材１０６が原稿先端規制位置から退避した状態となるから、その規制を受けず、その後の原稿の繰出・分離給送が適正になされず、給紙不良や重送の原因となる。
【０００６】
本発明は、上記実情に鑑みなされたものであり、原稿押圧板を閉める際の反動等によりピックアップローラが下動しても、ピックアップローラを上方の待機位置に速やかに復帰させるようにして、上記問題点の発生を未然に防止し得る画像読取装置を提供するものである。
【課題を解決するための手段】
【０００７】
本発明は、原稿載置部上に置かれた原稿束の上面に押当する上下揺動可能なピックアップローラにより原稿を繰出し、分離給送手段により１枚ずつ分離して読取部に向け原稿を給送する自動原稿送り装置と、平板式画像読取部とを備えた画像読取装置に関する。
請求項１の発明は、上記自動原稿送り装置は、上記平板式画像読取部の上面に装備された上下開閉可能な原稿押圧板に一体に形成され、且つ、前記ピックアップローラの上下揺動機構と、この機構の動作制御を行う制御手段とを具備し、前記制御手段は、前記原稿押圧板が閉められた時には、前記ピックアップローラを上動させるよう制御することを特徴とする。
【０００８】
請求項２の発明は、前記ピックアップローラの下流側近傍には、原稿載置部上の原稿束の先端を規制する原稿規制部材が設けられ、前記原稿規制部材は、ピックアップローラが上方の待機位置にある時は、原稿載置部上の原稿先端規制位置に位置し、ピックアップローラが原稿束の上面に押当する位置に下降した時は原稿載置部上から退避するものであることを特徴とする。
【０００９】
また、請求項３の発明は、上記分離給送手段が、分離ローラを含み、上記ピックアップローラは、前記分離ローラの駆動軸に上下揺動可能に支持された揺動アームの揺動端部に取付けられ、前記揺動アームの上下揺動は、上記駆動軸の軸回転と連動してなされるようにしたことを特徴とする。
【発明の効果】
【００１０】
本発明の画像読取装置によれば、原稿押圧板が閉められた時には、制御手段によって、ピックアップローラは上下揺動機構をして上動するよう制御されるから、原稿押圧板の開閉操作の際の反動により、ピックアップローラが正規の上方待機位置から下動しても、ピックアップローラは、速やかに元の上方待機位置に復帰する。従って、原稿載置部上への原稿セット時に、ピックアップローラが障害とならず、原稿が正しくセットされる。そして、ピックアップローラの上下揺動に連動して原稿先端規制位置と退避位置間で変位する原稿規制部材を設けた場合は、原稿の先端を常にこの原稿規制部材の規制を受けるようセットできるから、その後の繰出・分離給送が適正になされ、給紙不良や重送が生じ難くなる。
【発明を実施するための最良の形態】
【００１１】
以下に本発明の実施の形態について図面を参照して説明する。図１は画像読取装置の一例を示す要部の縦断面図、図２はピックアップローラと分離ローラとをユニット化した駆動機構を下から見上げた状態の斜視図、図３は同分解斜視図、図４は制御ブロック図、図５は動作フロー図である。
【実施例】
【００１２】
図例の画像読取装置１は、ファクシミリ機能、複写機能及びプリンタ機能を備えた所謂複合機に適用されたものであることを示し、ＡＤＦ（自動原稿送り装置）部Ａと、ＦＢＳ部（平板式画像読取部）Ｆとよりなる。図例のＡＤＦ部Ａは、シートものの原稿Ｄを１枚ずつ搬送しながら、その両面画像を読み取って、デジタル信号として出力するための両面画像読取装置として構成されている。ＡＤＦ部Ａの原稿供給口部２ａには、原稿供給トレイ２ｂが前記原稿供給口部２ａに向かって下方に傾斜するよう着脱自在に装着され、この原稿供給口部２ａと原稿供給トレイ２ｂとにより原稿載置部２が構成されている。原稿供給口部２ａ上には、原稿供給トレイ２ｂに堆積された原稿束Ｄを上層部より繰出すピックアップローラ３が配設され、このピックアップローラ３に引き続き、繰出された原稿を１枚ずつ分離して給送する原稿分離給送手段４が装備されている。前記原稿分離給送手段４は、分離ローラ４ａとこの分離ローラ４ａの周体に弾接し、反方向に回転付勢されたリタードローラ４ｂとからなる。
【００１３】
ピックアップローラ３で繰出された原稿は、分離ローラ４ａとリタードローラ４ｂとの間に導入され、分離ローラ４ａの回転に伴う両者の紙に対する摩擦係数の差及びリタードローラ４ｂの反回転付勢作用により１枚ずつ分離され、下流側に給送される。尚、原稿分離手段４として、分離ローラ４ａとリタードローラ４ｂとよりなるものに代え、分離ローラと分離パッドとの組合わせによるもの等も採用可能であることは言うまでもない。
【００１４】
上記原稿分離給送手段４により１枚ずつ分離された原稿は、Ｕターン状に形成された原稿搬送路５に沿って順次配設されたレジストローラ（レジスト手段）６、および大径搬送ローラ７によりレジスト搬送されて読取ポイント（読取部）Ｐに給送され、その後排出ローラ８により排出トレイ９に排出される。これらローラ６、７及び８には給送される原稿Ｄをニップするプレッシャーローラ６ａ、７ａ、７ｂおよび８ａが弾接されている。そして、排出ローラ８は正逆転可能とされ、読取ポイントＰで第１面の画像が読み取られた原稿の後端が排出ローラ８に至ると、排出ローラ８はプレシャーローラ８ａとによって原稿の後端をニップした状態で一旦停止し、その後逆転してスイッチバック搬送路１０から原稿搬送路５を経て読取ポイントＰに再度原稿Ｄを給送して、原稿Ｄの第２面の画像が読取られるよう構成されている。前記スイッチバック搬送路１０への分岐部には、切替ゲート１０ａが設置され、この切替ゲート１０ａは、排出ローラ８を反転させて原稿Ｄをスイッチバックさせる時は、破線の位置に切替わり、スイッチバック搬送路１０側が開くよう制御される。
【００１５】
上記読取ポイントＰにはスリットガラス（プラテン）１１が配置され、原稿が前記スリットガラス１１上を通過する際、このスリットガラス１１の下部に待機された（図１における２点鎖線部参照）画像読取走査装置１２により原稿表面の画情報が逐次読み取られ、上記のようにデジタル信号として出力される。画像読取走査装置１２は、ＦＢＳ部Ｆでの読取を兼ねるものであり、上面にプラテンガラス１８が設置された箱型の読取走査用筐体１３内に、フルレートキャリッジ（走査キャリッジ）１４と、ハーフレートキャリッジ（走査キャリッジ）１５と、集光レンズユニット１６と、ＣＣＤ１７とを配設してなる。
【００１６】
フルレートキャリッジ１４は、キャリッジフレーム１４ａに、蛍光灯若しくは冷陰極管からなる光源１４ｂと、第１ミラー１４ｃとを搭載してなり、駆動ベルト１４ｄに連結され、且つ不図示のガイドレールに摺動可能に支持されて、上記筐体１３内をその略全範囲に亘り左右に往復動する。ハーフレートキャリッジ１５は、キャリッジフレーム１５ａに、互いに９０°の角度をなす第２、第３ミラー１５ｂ、１５ｃを搭載してなり、上記フルレートキャリッジ用駆動ベルト１４ｄの１／２の速度で駆動する駆動ベルト１５ｄに連結され、且つ不図示のガイドレールに摺動可能に支持されて、筐体１３内をその略左半部の範囲に亘り左右に往復動する。
【００１７】
上記駆動ベルト（歯付ベルトも可）１４ｄ、１５ｄは、同軸的に軸装され且つ径が２：１の駆動プーリー１４ｅ、１５ｅに夫々掛け渡され、同一のスキャン用モータ（不図示）により駆動される。従って、これら駆動ベルト１４ｄ、１５ｄに連結されたフルレートキャリッジ１４及びハーフレートキャリッジ１５は、モータの作動により、２：１の速度比で、互いに追従するよう往復動する。集光レンズユニット１６及びＣＣＤ１７は、筐体１３の底板１３ａに固定状態とされており、プラテンガラス１８上に置かれた原稿Ｄ１の読取の際は、筐体１３内の左側部に待機するフルレートキャリッジ１４及びハーフレートキャリッジ１５の右方への移動に伴い、光源１４ｂから原稿Ｄ１に照射された反射光が、第１〜第３ミラー１４ｃ、１５ｂ、１５ｃで反射を繰り返し、集光レンズユニット１６を経て、ＣＣＤ１７に逐次入光し結像される。ＣＣＤ１７では、結像した光情報がデジタルの電気信号に変換され出力される。
【００１８】
また、ＡＤＦ原稿Ｄの読取の際は、上記のように、フルレートキャリッジ１４が、スリットガラス１１の直下の位置に移動待機して静止し（ハーフレートキャリッジ１５も所定の待機位置に静止する）、前記ＡＤＦ部Ａにおいてスリットガラス１１上を連続搬送される原稿Ｄの画像が同様に読み取られる。このような読取走査の間、原稿Ｄ或いはＤ１で反射した光は光路Ｌを辿ってＣＣＤ１７に入光するが、フルレートキャリッジ１４及びハーフレートキャリッジ１５の移動速度比が２：１とされているから、所謂物象間距離は常に一定となり、これにより読取画像品質が一定に保たれる。
【００１９】
ＡＤＦ部Ａ、原稿供給トレイ２ｂ及び排出トレイ９は一体化されて原稿押圧板（プラテンカバー）１９を構成し、紙面奥側をヒンジ部（不図示）として上下に開閉可能とされている。従って、ＦＢＳ部Ｆにて原稿読み取りを行う際は、この原稿押圧板１９を開け、露見したプラテンガラス１８上に原稿を載置することによりなされる。原稿押圧板１９の一側部には原稿押圧板１９の開閉を検出するセンサ２０が設置されている。このセンサ２０は、理解の便なように、図１では右側部に示しているが、押圧板のわずかな浮きでも検出することが可能なように、開閉ヒンジ部からできるだけ離れた位置、つまり原稿押圧板１９の手前側に配設することが望ましい。また、前記原稿供給口部２ａには、原稿の有無或いは置かれた原稿の幅サイズを検出するセンサ２１が設置されている。供給口部２ａであって、ピックアップローラ３の下流側近傍には、ピックアップローラ３の上下揺動に連動して原稿先端規制位置と退避位置との間で変位する原稿規制部材２２が装備されている。これについての詳細は後記する。
【００２０】
尚、画像読取走査装置１２としては、光源１４ｂ、複数のミラー１４ｃ、１５ｂ、１５ｃ、レンズユニット１６及びＣＣＤ１７を１つの走査キャリッジに搭載して、プラテンガラス１８の下面に沿って往復動させるものであってもよい。
【００２１】
上記分離ローラ４ａ、レジストローラ６、大径搬送ローラ７及び排出ローラ８は、１個の原稿搬送用モータ（不図示）を駆動源とし、適宜ギヤ或いはベルト等の伝達手段（同）を介し駆動伝達がなされるよう構成されている。また、ピックアップローラ３は、分離ローラ４ａの駆動系から駆動伝達されるよう構成されており、以下これについて詳細に説明する。図２は、ピックアップローラ３と分離ローラ４ａとをユニット化した駆動機構を下から見上げた状態の斜視図、図３は同分解斜視図である。
【００２２】
分離ローラ４ａの駆動軸４ｃは、前記原稿搬送用モータの駆動力を得て軸回転する。前記駆動軸４ｃには、前記駆動軸４ｃと一体回転するプーリー４ｄが嵌装されている。また、駆動軸４ｃにはフリー回転可能に分離ローラ４ａが嵌装されており、プーリー４ｄ及び分離ローラ４ａの細径筒部４ｄ１、４ａ１には両者を共役するコイルスプリング４ｅが套嵌されている。このコイルスプリング４ｅは、スプリングクラッチとして機能するものであり、駆動軸４ｃが正回転（図１、図２の矢視Ｘ方向）する際は、この回転力が前記コイルスプリング４ｅを巻き締めるように組み込まれる。従って、駆動軸４ｃが正回転し、プーリー４ｄが一体回転すると、コイルスプリング４ｅが巻き締まり、上記細径筒部４ｄ１、４ａ１がコイルスプリング４ｅを介して互いに緊合する結果、プーリー４ｄの回転が分離ローラ４ａに伝達され、分離ローラ４ａが正回転（原稿を給送する方向）、即ちＸ方向に回転する。
【００２３】
上記プーリー４ｄの回転は、ピックアップローラ３にも伝達される。すなわち、上記駆動軸４ｃには、駆動軸４ｃを支点として上下に揺動可能な揺動アーム３ａが取付けられており、この揺動アーム３ａの先側に軸回転可能に支持された支軸３ｂに、ピックアップローラ３がフリー回転可能に嵌装されている。また、この支軸３ｂには、プーリー３ｃがフリー回転可能に嵌装されており、このプーリー３ｃと分離ローラ４ａ側のプーリー４ｄとにベルト３ｄが張設され、分離ローラ４ａ側のプーリー４ｄの回転がピックアップローラ３側のプーリー３ｃに伝達されるようになされている。
【００２４】
このプーリー３ｃの回転は、ワンウェイクラッチ及び差動クラッチを介してピックアップローラ３に伝達される。すなわち、支軸３ｂにはワンウェイクラッチ３ｅが嵌装されており、このワンウェイクラッチ３ｅとプーリー３ｃとの外周部には両者を共役してコイルスプリング３ｆが圧嵌めされている。このコイルスプリング３ｆは、プーリー３ｃの正回転方向、すなわちＸ方向（原稿の繰出し方向）が巻き緩み方向となるような関係で組み込まれている。通常の、プーリー３ｃがＸ方向に回転することによるワンウェイクラッチ３ｅへの駆動伝達時には、コイルスプリング３ｆの巻き緩みを生じず、その巻締め力によって駆動伝達されるように設計されており、これにより、ピックアップローラ３に異常負荷（例えば、原稿を逆方向に引っ張り出す力）がかかったような場合に、コイルスプリング３ｆが緩み、プーリー３ｃの駆動伝達系等への衝撃を緩和し、その損耗を防止することができる。
【００２５】
ワンウェイクラッチ３ｅは、コイルスプリング３ｆを介して図２に示すＸ方向の回転力が作用した時には、支軸３ｂにロックされ、逆に反Ａ方向の力が作用した時にはアンロックするよう機能するものである。このロックにより、プーリー３ｃのＸ方向への回転力が支軸３ｂに駆動伝達される。このようなワンウェイクラッチ３ｅとしては、上記した機能を奏するものであれば、既知のものが適宜選択採用される。上記ワンウェイクラッチ３ｅに隣接して支軸３ｂに差動クラッチ部材３ｇが固設され、前記差動クラッチ部材３ｇはスラスト方向に延びるクラッチ爪３ｇ１を備え、また、ピックアップローラ３の端面にはスラスト方向のクラッチ爪３ｇ２が突設され、両クラッチ爪３ｇ１、３ｇ２が噛み合った時に相互の回転伝達がなされる。
【００２６】
上記揺動アーム３ａは、揺動機構２３により、駆動軸４ｃの正逆回転に連動して上下に揺動する。すなわち、前記揺動機構２３は、分離ローラ４ａの駆動軸４ｃにその軸心に直交するよう貫挿されたピン２３ａを介し、駆動軸４ｃに一体化された一方のカップリング部材２３ｂと、揺動アーム３ａの外面に弾接される他方のカップリング部材２３ｃとの間に圧縮スプリング２３ｄ（トルクリミッタ）が圧縮状態で弾装されてなる。従って、駆動軸４ｃがＸ方向に正回転する時、両カップリング部材２３ｂ、２３ｃ間には圧縮スプリング２３ｄの復元弾力によるフリクションが作用しているから、揺動アーム３ａに対してＹ方向に揺動する力が作用する。揺動アーム３ａがＹ方向に揺動する結果、原稿トレイ２ｂ上に堆積された原稿Ｄ（図１参照）の最上層部にピックアップローラ３が当接する。
【００２７】
ピックアップローラ３が原稿Ｄの最上層部に当接した後も駆動軸４ｃが正回転を継続すると、ピックアップローラ３の揺動は原稿Ｄの堆積層によって阻止されるが、駆動軸４ｃの回転は上記フリクション力に抗して継続される。従って、この駆動軸４ｃの回転は、ピックアップローラ３及び分離ローラ４ａに伝達され、原稿トレイ２ｂ上の原稿Ｄが最上層部から繰出され、１枚ずつ分離されて搬送路５に向け給送される。この繰出し、給送により原稿トレイ２ｂ上の原稿Ｄの堆積層厚が小さくなって行くが、揺動アーム３ａに対しては、駆動軸４ｃがＸ方向に回転している間、常にＹ方向への力が作用しているから、ピックアップローラ３は原稿Ｄの最上層部に常に押圧付勢され、原稿Ｄの繰出しが滞りなくなされる。
【００２８】
そして、原稿Ｄの繰出し、給送が完了し、駆動軸４ｃが一旦停止し、その後反Ｘ方向に逆回転すると、圧縮スプリング２３ｄのフリクション作用により、揺動アーム３ａには反Ｙ方向の力が作用してその先側が持ち上がり、その後の駆動軸４ｃの停止によりピックアップローラ３は原稿トレイ２ｂ上方の待機位置に保持される。尚、図例では、揺動アーム３ａとカップリング部材２３ｃとの間に、フエルトリング２３ｅが介装されている。このフエルトリング２３ｅは、圧縮スプリング２３ｄのフリクション作用に伴う駆動軸４ａと揺動アーム３ａとの一体化を維持すると共に、ピックアップローラ３が原稿の堆積層上に当接してその揺動が阻止された後の、駆動軸４ａの回転に伴うカップリング部材２３ｃと揺動アーム３ａとの接触摩擦抵抗を緩和するよう機能する。
【００２９】
上記ピックアップローラ３により繰出され、分離ローラ４ａにより１枚ずつ分離された原稿Ｄは、レジストローラ６に至り、このレジストローラ６によりレジストされ、読取ポイントＰに向け搬送される。レジストローラ６による周速度は、連続供給される原稿の各ページ間隔を確保する為、ピックアップローラ３及び分離ローラ４ａの周速度よりやや大とされている。従って、搬送路５の長さの関係で、先端がレジストローラ６に差し掛かった時には、原稿Ｄの後半部分は、分離ローラ４ａ及びピックアップローラ３に拘束されているから、その周速度差により原稿Ｄに搬送負荷（引張り力）が掛かることになる。この原稿Ｄの引張り力は、分離ローラ４ａ及びピックアップローラ３に対してそれぞれのスプリングクラッチとしてのコイルスプリング４ｅ及びワンウェイクラッチ３ｅをアンロックする（駆動軸４ｃ及び支軸３ｂとの分離）方向に作用する。従って、分離ローラ４ａ及びピックアップローラ３はそれぞれの駆動伝達系から遮断され、空回転して上記搬送負荷が軽減される。
【００３０】
上記のように、駆動軸４ｃが正回転している間、ピックアップローラ３は常に原稿Ｄの最上層部に押圧され、また、プーリー４ｄからプーリー３ｃへの駆動伝達系も常に作動している。従って、先行原稿の後端がピックアップローラ３から外れ、上記引張力がピックアップローラ３に作用しなくなると、プーリー３ｃからピックアップローラ３への駆動伝達が再開し、次原稿の繰出しがなされる。この場合、上記引張力の作用がなくなった後、直ちに次原稿の繰出しがなされると、先行原稿の後端と次原稿の先端が同時に分離ローラ４ａに導入されることになるが、次原稿の先端は分離ローラ４ａとリタードローラ４ｂとの分離作用によりその進入が阻止される。
【００３１】
上記ピックアップローラ３には、その上下揺動に連動して、原稿先端規制位置と退避位置とに変位可能な原稿規制部材２２が連設されている。すなわち、図２において、ピックアップローラ３の支軸３ｂには作動バー２２ａが延設され（揺動アーム３ａに固設することも可）、この作動バー２２ａの先端部は、装置の機体（ＡＤＦ部Ａの機体）に固定された固定ピン２２ｂに対して、回動可能に取り付けられた回動リンク２２ｃの長孔２２ｄに遊挿されている。この回動リンク２２ｃの他端部には、上記作動バー２２ａと平行に連結バー２２ｅが固設され、この連結バー２２ｅに板状の原稿規制部材２２が一体的に連設されている。
【００３２】
したがって、上記駆動軸４ｃのＸ方向への回転に伴い、揺動アーム３ａがＹ方向に回転（下動）すると、作動バー２２ａの作用を受けて回動リンク２２ｃが固定ピン２２ｂの回りをＺ方向に回転し、原稿規制部材２２ははね上げられるように変位する。すなわち、ピックアップローラ３を、原稿載置部２上の原稿束Ｄ上に押当させ、その繰出しを開始する時には、この原稿規制部材２２は退避位置に変位する。また、原稿Ｄの繰出しが終わり、読取が終了すると、モータが逆転して駆動軸４ｃが反Ｘ方向へ回転し、これに伴い揺動アーム３ａが反Ｙ方向に回転（上動）すると、原稿規制部材２２は元の原稿先端規制位置に復帰する。図１は、原稿規制部材２２が原稿先端規制位置にあることを示している。
【００３３】
上記のような揺動アーム３ａの揺動機構２３には、圧縮スプリング２３ｄのフリクション作用が介在するから、原稿押圧板１９を勢いよく閉めたりすると、このフリクション力以上の反力（慣性力）がピックアップローラ３に作用することがある。その為、原稿押圧板１９を閉めた時にピックアップローラ３が下動し、その状態に維持されることになり、その後の原稿Ｄのセットに支障を来たすことになる。本実施形態では、原稿押圧板１９が閉められたことが検出されれば、原稿搬送用モータを所定時間逆回転して、揺動アーム３ａを上動させ、待機時にはピックアップローラ３を常に上方の待機位置に変位させるようにしている。以下、この制御について図４および図５を参照して説明する。
【００３４】
図４は、複写機能或いはプリンタ機能を備えたファクシミリ装置における制御システムのブロック図を示す。主制御部（制御手段）２４はＣＰＵからなり、ファクシミリ装置としての全ての機能の動作制御を司る。ＮＣＵ２５及びモデム２６は、外部ファクシミリ装置と回線接続し、この通信回線を介した送信及び受信に伴う各種伝送信号を変調及び復調するべく機能するものである。画像メモリー２７は、主に、外部端末（ファクシミリ装置やパソコン）より受信した画像データを一時的に記憶するものである。ＲＡＭ２８は、画像読取走査装置１２により読取った画情報を一時的に記憶する画情報記憶手段２８ａを含むと共に、ワンタッチダイヤル番号等の各種データの記憶部をも含む。ＲＯＭ２９は、ファクシミリ装置の各種動作プログラムを格納するものである。
【００３５】
表示部３０は、液晶パネル等からなり、操作手順やエラー表示等の各種情報或いはガイダンスを、視覚的に操作者に知らせる為のものである。操作部３１は、不図示のスタートキー、テンキーや各種機能キー（片面・両面読取モード設定キーを含む）の他に、操作者によって操作される各種操作手段からなる。前記読取部１２及び原稿給紙手段３２は、図１における画像読取走査装置１２及びＡＤＦ部Ａに夫々相当する。この原稿給紙手段３２には、分離ローラ４ａ等の搬送ローラの駆動源としての不図示の原稿搬送用モータが含まれる。
【００３６】
また、記録部３３は、読取部１２で読取られた画像データや、ＮＣＵ２５を介し受信した画像データ更にはパソコン等の外部端末機から受信した画像データを印字出力するものであり、電子写真方式、インクリボン方式或いはインクジェット方式等、公知の記録手段が採用される。前記記録部３３は、図１では図示を省略したが、画像読取装置１の下に配設される。原稿押圧板開閉検出センサ２０は、上記の通り、原稿押圧板１９の一側部に設けられ、原稿押圧板１９の開閉を検出する。
【００３７】
図５は、原稿押圧板１９の開閉とピックアップローラ３の上動動作についての動作フローを示すものである。すなわち、ステップＳ１で原稿押圧板１９が開いていることが原稿押圧板開閉検出センサ２０で検出される。その後、ステップＳ２において、原稿押圧板１９が閉められたことが原稿押圧板開閉検出センサ２０で検出されると、主制御部２４は、原稿給紙手段３２を構成する原稿搬送用モータを逆転作動させる（ステップＳ３）。これに伴い、揺動アーム３ａが反Ｙ方向へ回転（図２参照）し、ピックアップローラ３が上動し、その後のモータの停止（ステップＳ４）により、ピックアップローラ３は上方の待機位置に維持される。尚、モータの停止は、モータの逆転作動開始から、ピックアップローラ３が上方の待機位置に達するに十分な時間が、予め設定されたタイマー（不図示）のタイムアップによりなされる。
【００３８】
このように、原稿押圧板１９が閉められると、ピックアップローラ３は上方の待機位置に上動し維持されるから、その後の原稿セットが、ピックアップローラ３によって阻害されることがない。また、ピックアップローラ３が待機位置にある時は、原稿規制部材２２も必ず正規の原稿先端規制位置に位置するから、その規制作用が的確になされる
【００３９】
なお、揺動アーム３ａすなわちピックアップローラ３の上下揺動機構２３の例として、分離ローラ４ａの駆動軸４ｃと連動する構成について述べたが、特許文献１に開示されたようなソレノイド、および入力アームによるものであってもよい。また、原稿規制部材２２も、特許文献１に開示されたシャッタや、適宜リンク機構を介しレジストローラ６に連動して原稿載置部２上に出没するよう構成されるものであってもよい。更に、両面読取の画像読取装置について述べたが、片面読取の画像読取装置にも適用可能であること、加えて、所謂１スルータイプの両面読取方式であってもよいことは言うまでもない。
【図面の簡単な説明】
【００４０】
【図１】画像読取装置の一例を示す要部の縦断面図である。
【図２】ピックアップローラと分離ローラとをユニット化した駆動機構を下から見上げた状態の斜視図である。
【図３】同分解斜視図である。
【図４】同装置の制御ブロック図である。
【図５】原稿押圧板の開閉とピックアップローラの上動動作の動作フロー図である。
【図６】従来の画像読取装置におけるピックアップローラの動きを示す概念図で、同図（ａ）はピックアップローラが上方に待機している状態を、（ｂ）は反動等により下がった状態を示すものである。
【符号の説明】
【００４１】
１    画像読取装置、  ２    原稿載置部、  ３    ピックアップローラ、
３ａ    揺動アーム、  ４    分離給送手段、  ４ａ    分離ローラ、
１９    原稿押圧板、  ２２    原稿規制部材、
２３    ピックアップローラの上下揺動機構、  ２４    主制御部（制御手段）、
Ａ    ＡＤＦ部（自動原稿送り装置）、  Ｄ    原稿（原稿束）、
Ｆ    ＦＢＳ部（平板式画像読取部）、  Ｐ      読取ポイント（読取部）。
【図１】
2005277533.tif 000003
【図２】
2005277533.tif 000004
【図３】
2005277533.tif 000005
【図４】
2005277533.tif 000006
【図５】
2005277533.tif 000007
【図６】
2005277533.tif 000008